(57)【要約】【課題】個人認証の信頼性を向上させ、カードの盗難や遺失に対してカードの不正利用による取引を防止する。【解決手段】  自動取引装置１の顧客操作表示部１１で顧客に個人認証用の質問内容を入力させて、その質問内容を答えと共にホストコンピュータ２の顧客データベース２２に登録しておき、顧客が前記自動取引装置１で取引を行うとき、取引中に前記質問内容と答えをホストコンピュータ２から自動取引装置１に送って、その質問内容を顧客操作表示部１１に表示し、顧客が顧客操作表示部１１で入力したに答えを、ホストコンピュータ２からの答えと照合して正しいか否かにより個人認証を行う。【選択図】        図１
2006164117.tif 000002
【特許請求の範囲】
【請求項１】
顧客に取引に必要な情報等を表示すると共に情報の入力を行わせる顧客操作表示部を備えた自動取引装置と、顧客口座情報を格納した顧客データベースを有する上位装置からなる自動取引システムにおいて、
前記顧客操作表示部で顧客に個人認証用の質問内容を入力させて、その質問内容を答えと共に前記顧客データベースに登録しておき、
顧客が前記自動取引装置で取引を行うとき、取引中に前記質問内容を前記上位装置から前記自動取引装置に送り、
その質問内容を前記顧客操作表示部に表示して顧客に答えを入力させて、その答えが正しいか否かを自動取引装置で判断して個人認証を行うことを特徴とする自動取引システム。
【請求項２】
請求項１に記載の自動取引システムにおいて、
前記顧客操作表示部で顧客に個人認証用の質問内容を入力させるとき、
顧客の個人情報のうち、本人認証に使用する候補となる項目を順次表示して、顧客が使用すべきことを指定した場合に情報を前記データベースに登録することを特徴とする自動取引システム。
【請求項３】
請求項１に記載の自動取引システムにおいて、
暗証番号と前記質問内容の答えを併用して個人認証を行うことを特徴とする自動取引システム。
【請求項４】
請求項１に記載の自動取引システムにおいて、
前記上位装置の顧客データベースに格納された顧客口座情報のうち、答えが数字で表される項目を前記自動取引装置の顧客操作表示部に表示して、質問内容として顧客に選択させ、選択された項目とその答えを前記顧客データベースに登録することを特徴とする自動取引システム。
【請求項５】
請求項１に記載の自動取引システムにおいて、
前記自動取引装置の顧客操作表示部で顧客に任意の質問内容と数字で表される答えを入力させ、入力された質問内容と答えを前記顧客データベースに登録することを特徴とする自動取引システム。
【請求項６】
請求項１に記載の自動取引システムにおいて、
前記上位装置から質問と答えを自動取引装置に送り、質問に対して顧客が入力した答えを自動取引装置で前記上位装置から受信した答えと照合して、正しいか否かを判断することにより個人認証を行うことを特徴とする自動取引システム。
【請求項７】
請求項１に記載の自動取引システムにおいて、
前記上位装置から質問のみを自動取引装置に送り、質問に対して顧客が入力した答えを自動取引装置から前記上位装置に送信して、前記上位装置で前記自動取引装置から受信した答えと顧客データベースに登録されている答えと照合して、正しいか否かを判断することにより個人認証を行うことを特徴とする自動取引システム。
【請求項８】
請求項１に記載の自動取引システムにおいて、
前記顧客操作表示部で顧客に個人認証用の質問内容を入力させるとき、質問内容の数を指定させ、指定された数の質問を取引の際に前記顧客操作表示部に順次表示して、答えを入力させることを特徴とする自動取引システム。
【請求項９】
顧客に取引に必要な情報等を表示すると共に情報の入力を行わせる顧客操作表示部を備え、顧客口座情報を格納した顧客データベースを有する上位装置と接続した自動取引装置において、
前記顧客操作表示部で顧客に個人認証用の質問内容を入力させて、その質問内容を答えと共に前記顧客データベースに登録しておき、
顧客が取引を行うとき、取引中に前記質問内容と答えを前記上位装置から取得し、
その質問内容を前記顧客操作表示部に表示して顧客に答えを入力させて、その答えが正しいか否かを判断して個人認証を行うことを特徴とする自動取引装置。
【発明の詳細な説明】
【技術分野】
【０００１】
本発明は、自動取引装置と上位装置からなるシステムで実施される個人認証の技術に関するものである。
【背景技術】
【０００２】
従来の自動取引装置において、例えば支払い取引を行う場合、顧客がカード挿入後、暗証番号を入力、金額の入力を行うと、これらの暗所番号や金額がカードから読み取った顧客口座情報と共に自動取引装置からホストコンピュータ（上位装置）に送られ、ホストコンピュータで顧客口座情報に含まれる口座の特定と、暗証番号の照合による個人認証が行われて、この個人認証により暗証番号を入力した操作者が口座名義人（口座開設者）本人であることが確認されると、自動取引装置により取引が実行されるものとなっている（例えば、特許文献１参照）。
【特許文献１】特開２００１―２０２５５２（段落「００１８」〜段落「００２１」、図１、図３）
【発明の開示】
【発明が解決しようとする課題】
【０００３】
しかしながら、上述した従来の技術においては、キャッシュカードが盗難に遇ったり遺失したとき、そのキャッシュカードを手に入れた者が何らかの方法で暗証番号を知り得た場合、自動取引装置での取引で個人認証の際、本人として確認されてしまい、そのためカードの不正利用による取引が実行されてしまうため、個人認証の信頼性が低いという問題があった。
【０００４】
本発明は、このような問題を解決することを課題とするもので、個人認証の信頼性を向上させることが可能な自動取引システムを実現することを目的とするものである。
【課題を解決するための手段】
【０００５】
そのため、本発明は、顧客に取引に必要な情報等を表示すると共に情報の入力を行わせる顧客操作表示部を備えた自動取引装置と、顧客口座情報を格納したデータベースを有する上位装置からなる自動取引システムにおいて、前記顧客操作表示部で顧客に個人認証用の質問内容を入力させて、その質問内容を答えと共に前記データベースに登録しておき、顧客が前記自動取引装置で取引を行うとき、取引中に前記質問内容を前記上位装置から前記自動取引装置に送り、その質問内容を前記顧客操作表示部に表示して顧客に答えを入力させることで個人認証を行うことを特徴とする。
【発明の効果】
【０００６】
このようにした本発明は、暗証番号の他に顧客に個人認証用の質問内容を自動取引装置で入力させ上位装置に登録し、自動取引装置の取引中に個人認証用の質問内容を顧客操作表示部に表示して答えを入力させることで、個人認証を行うようにしているため、暗証番号だけの個人認証に比べて信頼性が向上し、カードの盗難や遺失に対してカードの不正利用による取引を防止できるるという効果が得られる。
【発明を実施するための最良の形態】
【０００７】
以下、図面を参照して本発明による自動取引システムの実施例を説明する。
【実施例】
【０００８】
図１は自動取引システムの実施例を示すブロック図である。
図において１は金融機関の営業店等に設置された自動取引装置(ＡＴＭ)、２は金融機関のセンタに設置されたホストコンピュータで、この自動取引装置１とホストコンピュータ２は専用回線等により接続されている。
自動取引装置１は、ＣＲＴディスプレイまたは液晶ディスプレイ等による表示手段上に入力手段としてのタッチパネルを配置して成る顧客操作表示部１１、顧客のカードに設けられた磁気ストライプやＩＣに対して顧客情報の読取や残高データの更新を行う機能を有するカードリーダライタ（カードＲ／Ｗ）１２、取引の際に顧客により入力される情報やホストコンピュータから送られてくる情報を一時的に記憶する一時記憶部１３、顧客の通帳に取引データを記帳する図示しない通帳記帳機、取引に伴う紙幣の入出金処理を行う図示しない紙幣入出金機、取引に伴う硬貨の入出金処理を行う図示しない硬貨入出金機、及び図示しないプログラムメモリ等に格納されたプログラムに基づいて前記顧客操作表示部１１、カードリーダライタ１２、通帳記帳機、紙幣入出金機、硬貨入出金機等を制御すると共に上位装置であるホストコンピュータ２と通信を行って必要な情報の授受を行う機能を備えた制御部１４を有している。
【０００９】
また、本実施例において前記プログラムメモリ等には、後述する個人認証の情報を設定する際に顧客操作表示部１１に表示する画面情報や、その画面を用いて個人認証の情報を設定顧客に行わせるように制御部１４が制御を行うためのプログラム、設定情報に基づく個人認証のために用いる画面情報やプログラム等も格納されている。
一方、ホストコンピュータ２は、金融機関に口座を開設した各顧客の氏名、生年月日、住所、自宅の電話場番号、勤務先の電話番号、口座番号、暗証番号、取引履歴の未記帳データ、及び残高等を顧客口座情報として格納すると共に、個人認証情報登録部２１を設けた質問情報した顧客データベース２２と、図示しないプログラムメモリ等に格納されたプログラムに基づいて顧客データベース２２の格納情報を管理すると共に自動取引装置１と通信を行って必要な情報の授受を行う機能を備えた制御部２３を有している。
【００１０】
そして、本実施例では、前記顧客口座情報のうち、答えが数字で表される顧客の生年月日、住所の郵便番号、自宅の電話場番号、勤務先の電話番号等の項目を後述する個人認証用の質問内容を登録する際に使用するものとして、これらの項目に個人認証用の質問内容として使用可能であることを示すＯＮのフラグを付与しておき、制御部２３は顧客が個人認証用の質問内容を登録する際にこのフラグにより前記項目を選択する機能を持つものとしている。
【００１１】
上述した構成の作用について説明する。
まず、個人認証で暗証番号の他に使用する質問内容の登録について説明する。
図２及び図３は個人認証で暗証番号の他に使用する質問内容の登録手順を示す説明図、図５はその質問内容の登録手順を示すフローチャートである。
自動取引装置１の制御部１４は、図２（ａ）に示したように顧客に支払い取引や入金取引あるいは残高取引等の所望の取り日を選択させるためのボタンに「データ登録」の項目をボタン３１を加えた取引選択画面を顧客操作表示部１１に表示させる。
【００１２】
この取引選択画面で顧客が取引を選択する際、「データ登録」ボタン３１を押下した場合には個人認証で暗証番号の他に使用する個人情報を登録できる旨のメッセージを画面内に表示したり、音声として図示しないスピーカから流すようにしてもよい。
顧客が取引選択画面で取引を「データ登録」ボタン３１を押下すると(Ｓ１)、制御部１４は顧客のカードの挿入を促す旨の画面が顧客操作表示部１１に表示し、その表示に従って顧客がカードをカードリーダライタ１２に挿入すると、カードリーダライタ１２によりカードから顧客の口座番号を含む顧客情報が読み取られて制御部１４により一時記憶部１３に記憶される(Ｓ２)。
【００１３】
そして、制御部１４は、ホストコンピュータ２と交信を行い、データ登録が選択された旨の情報と一時記憶部１３に記憶した顧客情報をホストコンピュータ２に送信する。
ホストコンピュータ２の制御部２３はこの情報を受信すると、顧客情報に含まれる口座番号を識別子として該当する顧客口座情報を顧客データベース２２から検索し、該当する顧客口座情報が存在した場合、その顧客口座情報に含まれる暗証番号と自動取引装置１の制御部１４から受信した暗証番号を照合して個人認証（本人確認）を行う(Ｓ３)。
【００１４】
これにより口座が特定され、個人認証により自動取引装置１の操作者が口座名義人本人であることが確認された場合、制御部２３は前記顧客口座情報のうちのＯＮのフラグが付与されている、顧客の生年月日、自宅住所の郵便番号、自宅の電話場番号、勤務先の電話番号等の項目を選択して自動取引装置(ＡＴＭ)１に送信する(Ｓ４)。
これらの情報は自動取引装置１の制御部１４により一時記憶部１３に記憶される。
【００１５】
続いて図２（ｂ）に示したように、顧客の登録済みの個人情報（顧客口座情報）を個人認証用の質問内容として使用するか否かを問うメッセージと「はい」ボタン３２、「いいえ」ボタン３３を組み合わせた画面を自動取引装置１の顧客操作表示部１１に表示し、これを見た顧客が登録済みの情報の使用を認めて「はい」ボタン３２を押下すると(Ｓ５)、制御部１４は一時記憶部１３に記憶した項目毎に、個人認証に使用するか否かを問うメッセージと「はい」ボタン３２、「いいえ」ボタン３３を組み合わせた画面が自動取引装置１の顧客操作表示部１１に順次表示させ、画面毎に回答を入力させる(Ｓ６)。
【００１６】
すなわち、図２（ｃ）に示したように、自分の誕生日を個人認証用の質問内容として使用するか否かを問うメッセージと「はい」ボタン３２、「いいえ」ボタン３３を組み合わせた画面を表示し、これを見て顧客が「はい」ボタン３２または「いいえ」ボタン３３を押下すると、それを回答として一時記憶部１３に記憶させ、次に自宅住所の郵便番号の下４桁を個人認証の質問内容として使用するか否かを問うメッセージと「はい」ボタン３２、「いいえ」ボタン３３を組み合わせた画面を表示する。
【００１７】
そして、顧客が「はい」ボタン３２または「いいえ」ボタン３３を押下すると、それを回答として一時記憶部１３に記憶させ、同様に自宅電話番号の下４桁を個人認証の質問内容として使用するか否かを問うメッセージと「はい」ボタン３２、「いいえ」ボタン３３を組み合わせた画面、勤務先の電話番号の下４桁を個人認証の質問内容として使用するか否かを問うメッセージと「はい」ボタン３２、「いいえ」ボタン３３を組み合わせた画面を順に表示してそれぞれ「はい」ボタン３２または「いいえ」ボタン３３を押下させ、その回答を一時記憶部１３に記憶させる。
【００１８】
このようにしてすべての項目について回答を得ると(Ｓ７)、制御部１４は顧客操作表示部１１に図２（ｄ）に示した登録処理中である旨のメッセージ画面を表示し、ホストコンピュータ２と交信して、一時記憶部１３に記憶した個人認証に使用する項目と顧客の回答を顧客の口座番号と共に送信する(Ｓ８)。
この場合、顧客が個人認証に使用すると回答した項目、つまり「はい」ボタン３２が押下された項目のみを顧客の口座番号と共にホストコンピュータ２に送信するようにしてもよい。
【００１９】
ホストコンピュータ２の制御部２３は、自動取引装置１から口座番号と個人認証用の質問内容として使用する項目等を受信すると、その個人認証用の質問内容として使用する項目に対する答えを顧客データベース２２の該当する顧客口座情報から抽出して、その抽出した答えを図２（ｅ）に示したように前記口座番号と個人認証に使用する項目と対応付けて顧客データベース２２に設けられている個人認証情報登録部２１に登録し(Ｓ９)、登録が完了した旨の通知を自動取引装置１に送信する。
【００２０】
自動取引装置１の制御部１３は、ホストコンピュータ１から登録完了の通知を受信すると、個人認証情報に使用する情報の登録が完了した旨のメッセージを顧客操作表示部１１に表示し、処理を終了して、再び図２（ａ）の取引選択画面を表示させる。
一方、前記図２（ｂ）の画面で顧客が「いいえ」ボタン３３を押下した場合(Ｓ５)、制御部１４は図３（ａ）に示したように、顧客に個人認証に用いる任意の質問内容の入力を促すメッセージ、入力用の仮名の「文字」ボタン３４、入力文字の表示エリア３５、及び「完了」ボタン３６を組み合わせた画面を顧客操作表示部１１に表示する。
【００２１】
但し、入力できる質問内容は答えが数字で表されるものとする。
この画面を見て顧客が「文字」ボタン３４を押下して質問内容を１文字ずつ入力すると、その入力された文字が表示エリア３５に順次表示される。
ここでは、質問内容として「子供の誕生日」が入力(作成)されたものとする(Ｓ１０)。
質問内容の入力が終わり、顧客が「完了」ボタン３６を押下すると、制御部１４は入力された質問内容を一時記憶部１３に記憶させ、続いて図３（ｂ）に示したように、質問内容に対する答えの入力を促すメッセージ、テンキーと称する「数字」ボタン３７、及び「完了」ボタン３６を組み合わせた画面を顧客操作表示部１１に表示する。
【００２２】
この画面を見て、顧客が「数字」ボタン３７を押して子供の誕生日に該当する数字を入力(答え入力)すると(Ｓ１１)、入力された数字が画面中の所定の位置３８に表示される。
表示された数字を顧客が確認して完了ボタン３６を押下すると、制御部１４は顧客操作表示部１１に図３（ｃ）に示した登録処理中である旨のメッセージ画面を表示し、ホストコンピュータ２と交信して、一時記憶部１３に記憶した個人認証に使用する質問内容と答えを顧客の口座番号と共に送信する(Ｓ８)。
【００２３】
尚、この質問内容とその答えは、１つに限らず、複数入力させることも可能である。その場合、１つの質問内容に対するの答が入力されたとき、他に質問内容と登録するか否かを問い合わせるメッセージと「はい」ボタン、「いいえ」ボタンを組み合わせた画面を表示し、「はい」ボタンが押下されたときは、再び図３（ａ）に示した画面を表示して、質問内容を入力させた後、図３（ｂ）に示した画面を表示して答えを入力させ、更にその後他に質問内容と登録するか否かを問い合わせるメッセージと「はい」ボタン、「いいえ」ボタンを組み合わせた画面を表示するという制御を繰り返して行い、「いいえ」ボタンが押下されることで入力を終了するようにすればよい。
【００２４】
ホストコンピュータ２の制御部２３は、自動取引装置１から口座番号と個人認証に使用する質問内容及びその答えを受信すると、これらを図３（ｄ）に示したように顧客データベース２２に設けられている個人認証情報登録部２１に登録して(Ｓ９)、登録が完了した旨の通知を自動取引装置１に送信する。
そして、自動取引装置１の制御部１３は、ホストコンピュータ１から登録完了の通知を受信すると、個人認証情報に使用する情報の登録が完了した旨のメッセージを顧客操作表示部１１に表示し、処理を終了して、再び図２（ａ）の取引選択画面を表示させる。
【００２５】
次に、取引時の個人認証について説明する。
図４は個人認証を必要とする取引時の個人認証手順を示す説明図で、図６はその認証手順を示すフローチャートで、ここでは支払い取引を例にして説明する。
まず、自動取引装置１の顧客操作表示部１１に表示されている図４（ａ）に示す取引選択画面を見て顧客が支払い取引を指定する「支払」ボタン３９を押下して選択すると(Ｓ２１)、制御部１４は顧客のカードの挿入を促す旨の画面が顧客操作表示部１１に表示し、その表示に従って顧客がカードをカードリーダライタ１２に挿入すると、カードリーダライタ１２によりカードから顧客の口座番号を含む顧客情報が読み取られ(Ｓ２２)、制御部１４により一時記憶部１３に記憶される。
【００２６】
続いて制御部１４は、図４（ｂ）に示した暗証番号の入力を促すメッセージと「数字」ボタン３７を組み合わせた画面を顧客操作表示部１１に表示し、これを見た顧客が「数字」ボタン３７を押して暗証番号を入力すると(Ｓ２３)、制御部１４はその暗証番号を一時記憶部１３に記憶させ、そして図４（ｃ）に示した支払い金額の入力を促すメッセージ、「数字」ボタン３７、金額の単位を示す「万円」ボタン４０、「千円」ボタン４１を組み合わせた画面を顧客操作表示部１１に表示する。
【００２７】
この画面を見て顧客が「数字」ボタン３７、金額の単位を示す「万円」ボタン４０、「千円」ボタン４１を適宜に押して金額を入力すると(Ｓ２４)、制御部は入力された支払い金額を一時記憶部１３に記憶させ、更に前記画面の所定の位置に金額を表示させる。
金額の入力が終了すると、制御部１４は入力金額と制御部１４は、図４（ｄ）に示す処理中である旨のメッセージ画面を顧客操作表示部１１に表示すると共に、ホストコンピュータ２と交信を行い、一時記憶部１３に記憶した顧客情報、暗証番号、及び支払い金額をホストコンピュータ２に送信する。
【００２８】
ホストコンピュータ２の制御部２３はこれらの情報を受信すると、顧客情報に含まれる口座番号を識別子として該当する顧客口座情報を顧客データベース２２から検索し、該当する顧客口座情報が存在した場合、その顧客口座情報に含まれる暗証番号と自動取引装置１の制御部１４から受信した暗証番号を照合して個人認証（本人確認）を行う(Ｓ２５)。
これにより口座が特定され、個人認証により本人であることが確認された場合、制御部２３は顧客口座情報に含まれる残高と支払い金額を照合して支払い可能であるかどうかを判断し、可能である場合、制御部２３は顧客認証情報登録部２１に登録されている項目や質問内容の１つを選択して、その選択した質問内容と答えを取引許可の通知と共に自動取引装置(ＡＴＭ)１に送信する(Ｓ２６)。
【００２９】
尚、質問内容が複数登録されている場合、選択する順序を定めて、その定めた順に選択するようにしてもよいが、無作為（ランダム）に選択することも可能である。
ここでは質問内容として「子供の誕生日」を選択したものとする。
自動取引装置１の制御部１４は、ホストコンピュータ２から受信した質問内容と答え及び取引許可の通知を一時記憶部１３に記憶させ、そして図４（ｅ）に示した「子供の誕生日」の入力を促すメッセージと、「数字」ボタン３７を組み合わせた画面を顧客操作表示部１１に表示する(Ｓ２７)。
【００３０】
この画面を見て、顧客が「数字」ボタン３７を押して子供の誕生日に該当する数字を入力すると(Ｓ２８)、制御部１４は入力された数字と一時記憶部１３に記憶してある答えと照合して個人認証を行う(Ｓ２９)。つまり、入力された数字と一時記憶部１３に記憶してある答え一致している場合は、答えが正しいので顧客は口座名義人であると判断して取引を成立させ、不一致の場合答えが正しくないので顧客は口座名義人ではないと判断しては取引を中止する。
【００３１】
取引成立の場合、紙幣入出金機や硬貨入出金機により支払いを実行し(Ｓ３０)、図示しないプリンタによるレシートの印字、排出、カードの返却を行って処理を終了するが、取引不成立の場合は、直ちにカードの返却を行って処理を終了する。
以上説明した実施例によれば、暗証番号の他に顧客に個人認証用の質問内容を自動取引装置で入力させて上位装置に登録し、自動取引装置の取引中に個人認証用の質問内容を顧客操作表示部に表示して答えを入力させることで、個人認証を行うようにしているため、暗証番号だけの個人認証に比べて、個人認証の信頼性が向上し、カードの盗難や遺失に対してカードの不正利用による取引を防止できるという効果が得られる。
【００３２】
そして、予め登録する質問内容は顧客が選択してあるいは任意に設定して登録できることから、顧客自身は忘れにくくかつ第３者には知られにくい情報つまり漏洩する可能性が低い情報を選ぶことができ、しかも指紋等の生体的特徴を利用する場合のように新たな機器の追加を行うことなく実施できるので、実用性が高いという利点もあり、個人認証用の技術として極めて有用であるという効果も得られる。
【００３３】
尚、本発明は上述した実施例に限られるものではなく、種々の変更等が可能である。
例えば、上述した実施例では、取引の際に、個人認証用の質問内容を１つ選択し、それを表示して答えを入力させるものとしたが、個人認証用の質問内容を入力する際に、認証に使用する質問内容の数を顧客に指定入力させ、個人認証の際の指定された数の質問内容を順次表示し、その答えを入力させて、すべての答えが正しい場合本人と認証するようにすることも可能である。
【００３４】
また、上述した実施例では、取引の際にホストコンピュータ２から質問内容と答えを自動取引装置１に送り、顧客により入力された答えが正しいか否かを自動取引装置１で判断するものとしたが、取引の際にホストコンピュータ２から質問内容のみ自動取引装置１に送り、顧客により入力された答えをホストコンピュータ２に送信して、ホストコンピュータ２の制御部２３で答えが正しいか否かを判断させることも可能である。
【００３５】
更に、上述した実施例では、個人認証用の質問内容と答えをホストコンピュータ２の顧客データベース２２に登録するものとしたが、ＣＲＭ（Customer Relationship Management）を自動取引装置１の上位装置としてこのデータベースに個人認証用の質問内容と答えを登録してもよい。
この場合、取引の際にＣＲＭから質問内容と答えを自動取引装置１に送り、顧客により入力された答えが正しいか否かを自動取引装置１で判断するようにしてもよく、またＣＲＭから質問内容のみ自動取引装置１に送り、顧客により入力された答えをＣＲＭに送信して、ＣＲＭの制御部で答えが正しいか否かを判断させることも可能である。
【図面の簡単な説明】
【００３６】
【図１】実施例の構成を示すブロック図
【図２】実施例の作用を示す説明図
【図３】実施例の作用を示す説明図
【図４】実施例の作用を示す説明図
【図５】実施例の作用を示すフローチャート
【図６】実施例の作用を示すフローチャート
【符号の説明】
【００３７】
１    自動取引装置
２    ホストコンピュータ
１１  顧客操作表示部
１２  カードリーダライタ
１３  一時記憶部
２１  個人認証情報登録部
２２  顧客データベース
２３  制御部
【図１】
2006164117.tif 000003
【図２】
2006164117.tif 000004
【図３】
2006164117.tif 000005
【図４】
2006164117.tif 000006
【図５】
2006164117.tif 000007
【図６】
2006164117.tif 000008